(57)【要約】      （修正有）【課題】両手がふさがっている状態や、撮影機器を構えることができない状況で、撮影者が撮影機器を手に持つことなく、撮影者の身体が向いている方向を収容したスマートフォンのカメラ機能で撮影することができる収容部を備えたシャツを提供する。【解決手段】スマートフォン３０を収容することができる透明な収容部１０を胸部に備えた衣服で、収容した状態でスマートフォンの撮影機能を用いて透明な収容部を通して正面方向を撮影することができるため、両手がふさがっている状態や映像機器を構えることなく撮影することができる。スマートフォン収納部は収納したカメラ部４０がおおよそ着用者の身体の水平方向中心に位置する場所に取り付けられ、スマートフォンが横向きの状態で収容できる形状をしており、内部の撮像素子の向きが横方向になることで撮影した動画の画素数が横方向に多い動画となる。【選択図】図１
0003223725.tif 000002
【実用新案登録請求の範囲】
【請求項１】
透明な材質で作られたスマートフォンを収容できる収容部を胸部に備え、収容部はスマートフォンを収容した際にスマートフォンのカメラ部が着用者の身体の水平方向中心になる位置に取り付けられ、収容部がスマートフォンを横向きに収容できる形状をしている、シャツ。
【請求項２】
スマートフォンを収容した際にスマートフォンのカメラ部が位置する部分の収容部を切り抜いた請求項１に記載のシャツ。
【請求項３】
収容部が収容中のスマートフォンに充電ケーブルを接続するためのケーブルを通すための孔を備えた請求項１、及び２に記載のシャツ。
【請求項４】
収容部が収容中のスマートフォンのマイクへ撮影時の周囲の音声を効率よく収集できるように収容部に通気孔を備えた請求項１〜３のいずれかのシャツ。
【請求項５】
スマートフォンが収容部から不意に出ないようにするために収容口に留め具を有した請求項目１〜４のいずれかのシャツ。
【考案の詳細な説明】
【技術分野】
【０００１】
本考案は、スマートフォンを収容しながらハンズフリーで動画撮影を行うことができる衣類に関するものである。
【背景技術】
【０００２】
スマートフォンで動画撮影を行う場合、撮影者がスマートフォンを手に持ち、撮影する方向にカメラ部を向けて撮影を行う。
【０００３】
しかしながら、上記の撮影方法では、撮影者の両手を使うアクティビティの最中では、アクティビティ中にスマートフォンを手に持つことが困難であるため、スマートフォンのカメラ機能による動画撮影がアクティビティと同時に行えないことが多い。
【０００４】
このようなアクティビティの最中に同時に動画撮影を行おうとした場合は、手でスマートフォンを持った状態での転倒や、誤ってスマートフォンが落下した場合にスマートフォンが故障してしまうおそれもある。
【０００５】
その結果、上記のシーンでの動画の撮影が十分に行えないことが多い。
【０００６】
こういった問題を解決する方法として、スマートフォンを取り付けて衣服の上から上半身に着用し両手を使わずにスマートフォンのカメラ機能で撮影することができる製品や、ヘルメットに取り付けてアクティビティを撮影するカメラ製品がある。
【０００７】
しかしながら、衣服の上に別の器具を身につける必要があり、コストがかかったり、身につけるものが増えることでアクティビティ時の動作に支障を来す場合や、着用者の外観に悪影響を与えてしまう場合がある。
【考案の概要】
【考案が解決しようとする課題】
【０００８】
この考案は、上記課題を解決するためになされたもので、スマートフォンという普及率の高い製品と組み合わせ、衣服とスマートフォン以外の器具を必要とせずにアクティビティ中の動画の撮影をスマートフォンのカメラ機能で行うことができる衣服を提供することにある。
【課題を解決するための手段】
【０００９】
この考案に基づいた衣類においては、スマートフォンを胸部に収容することができる透明な収容部を備えている。収容したスマートフォンのカメラ部により透明な収容部の素材を通して動画の撮影を行う。スマートフォンは横向きに収容することができ、撮影した動画は画素数のアスペクト比の横方向が大きい形状で録画できる。
【００１０】
上記の考案の他の形態においては、収容部にスマートフォンの充電ケーブルを通す孔が設けられる。
【００１１】
上記考案の他の形態においては、収容部にスマートフォンが有しているマイクロフォンで撮影中の周囲の音声を効率よく拾うための通気孔が設けられる。
【００１２】
上記考案の他の形態においては、収容したスマートフォンがアクティビティ中に収容部から不意に出なくするための留め具を収容口に有する。
【００１３】
上記の考案の他の形態においては、収容部のスマートフォンのカメラ部に位置する部分を切り取った撮影用の窓が設けられる。
【００１４】
上記の考案の他の形態においては、収容部にスマートフォンの充電ケーブルを通す孔が設けられる。
【００１５】
上記考案の他の形態においては、収容部にスマートフォンが有しているマイクロフォンで撮影中の周囲の音声を効率よく拾うための通気孔が設けられる。
【００１６】
上記考案の他の形態においては、収容したスマートフォンがアクティビティ中に収容部から不意に出なくするための留め具を収容口に有する。
【考案の効果】
【００１７】
この考案に基づいた衣類によれば、スマートフォンと衣類以外の器具を必要とせずに、外見の見栄えを損なうことなく、スマートフォンで両手を使わずにハンズフリー撮影ができる収容部を有する衣類を提供することができる。
【図面の簡単な説明】
【００１８】
【図１】実施の形態における使用者の身体に着けられた本考案に係る撮影補助衣類の概略図。
【図２】実施の形態における撮影補助衣類の収容部の平面図。
【図３】実施の形態における撮影補助衣類の収容部に収容するスマートフォンの例を示す図。
【図４】実施の形態における撮影補助衣類の全体構造を示す平面図。
【図５】実施の形態における撮影補助衣類の収容部のスマートフォンのカメラ部が接する部分を切り抜いた状態を示す図。
【図６】実施の形態における撮影補助衣類の収容部の留め具を有した状態を示す図。
【図７】実施の形態における撮影補助衣類の収容部の充電ケーブルを通す孔を有した状態を示す図。
【図８】実施の形態における撮影補助衣類の収容部の通気孔を有した状態を示す図。
【考案を実施するための形態】
【００１９】
以下、この考案に基づいた各実施の形態における衣類について図面を参照して詳細に説明する。なお、以下に説明する各実施の形態において、個数、量などに言及する場合、特に記載がある場合を除き、本考案の範囲は必ずしもその個数、量などに限定されない。各図中、同一符号は同一または相当部分を指し、重複する説明は繰返さない場合がある。下記に示す実施の形態では、シャツの例として図１に示す半袖Tシャツを説明しているが、半袖Tシャツ以外の長袖Tシャツやポロシャツ、スポーツ用のシャツなど胸部中央に収容部を設けることができるシャツであれば、広く本考案を適用することができる。
【００２０】
なお、下記に示す実施の形態では、スマートフォンの一例として図４に示す形態のスマートフォンを想定して説明しているが、スマートフォンに搭載されているカメラ部の位置やマイクロフォンの位置は図４に示すものに限定されない。
【００２１】
図１に示すように、ハンズフリースマートフォン撮影補助衣類は、胸部に透明な材質で作られた収容部１０でスマートフォン３０を収容可能な上着２０である。透明な収容部１０にはスマートフォン３０を収容し、スマートフォンのカメラ部４０で透明な材質を通して着用者の前方を撮影することができる。
【００２２】
図２に示すように、収容部１０は例えば縫い糸５０によって衣類の胸部に取り付けられている。
【００２３】
図３に示すように、収容するスマートフォン３０はカメラ部４０とマイクロフォン９０を有す。
【００２４】
図４に示すように、収容部１０はスマートフォン３０を収容した際に、カメラ部４０が着用者の身体のおおよその水平方向中央に位置するように取り付けられる。
【００２５】
図５に示すように、収容部１０はスマートフォン３０を収容した際にカメラ部４０が位置する部分が切り抜かれた形態をもつ。これによりスマートフォン３０のカメラ部４０で撮影を行う際に透明な収容部を通すことなく撮影できるため映像の品質を向上させることができる。
【００２６】
図６に示すように、収容部１０は収容口にマジックテープなどの留め具６０を有する。留め具により収容したスマートフォンが収容口から不意に出ることを防ぐことができる。留め具はマジックテープ（登録商標）やボタンやチャック等で形成される。
【００２７】
図７に示すように、収容部１０は収容部内部のスマートフォンを充電するための充電ケーブルを通す孔７０を有する。これによりスマートフォンを充電しながら収容することができ、カメラ部４０による撮影によってかかるスマートフォン３０の電池の消耗による撮影時間の制限を伸ばすことができる。
【００２８】
図８に示すように、収容部１０は収容するスマートフォン３０が有すマイクロフォン９０の位置付近に通気孔８０を有し、収容中のスマートフォンのカメラ機能による動画撮影中にスマートフォンのマイク部が周囲の音声を効率よく収集できる。
【００２９】
以上、本考案の実施の形態について説明したが、今回開示された実施の形態は全ての点で例示であって制限的なものではないと考えられるべきである。
【符号の説明】
【００３０】
１０  収容部、２０  シャツ、３０  スマートフォン、４０  スマートフォンのカメラ部、５０  縫い糸、６０  留め具、７０  孔、８０  通気孔、９０  スマートフォンのマイクロフォン
【図１】
0003223725.tif 000003
【図２】
0003223725.tif 000004
【図３】
0003223725.tif 000005
【図４】
0003223725.tif 000006
【図５】
0003223725.tif 000007
【図６】
0003223725.tif 000008
【図７】
0003223725.tif 000009
【図８】
0003223725.tif 000010
【手続補正書】
【提出日】令和1年9月2日(2019.9.2)
【手続補正１】
【補正対象書類名】実用新案登録請求の範囲
【補正対象項目名】請求項３
【補正方法】変更
【補正の内容】
【請求項３】
収容部が収容中のスマートフォンに充電ケーブルを接続するためのケーブルを通すための孔を備えた請求項１または２記載のTシャツ。
【手続補正２】
【補正対象書類名】実用新案登録請求の範囲
【補正対象項目名】請求項５
【補正方法】変更
【補正の内容】
【請求項５】
スマートフォンが収容部から不意に出ないようにするために収容口に留め具を有した請求項１から４のいずれかのTシャツ。